(57)【要約】      （修正有）【課題】自然エネルギーを最大利用した省エネ集光式淡水化装置を提供する。【解決手段】集光ユニットの（平）凸レンズ２ａで各方位から太陽光を集光し、光線で補給水受皿１ｄ−１の海水等を加熱後沸騰させ、該水蒸気を冷却して自然エネルギーで淡水化し回収する。又基本ユニット１ａを連結後海面等に浮かべ淡水化すると共に、波浪の上下運動を回転運動に変換して発電等を起こし、其の連結ユニットを離島や岬間に橋渡しベース土台部の浮力を活用して車道歩道を載せて連絡橋にする。過熱水蒸気生成の為には、間接的に受皿を加熱し沸騰させ、水蒸気出口は狭窄、屈曲させ、光束を出口付近に集中し、出口水蒸気を再加熱し百℃以上の過熱水蒸気を生成する。反射鏡装置等を制御する為には球状多面体等に受光センサーを一定の距離や角度で多数配置して光線強度を感知し数値化積算し太陽方位を決定する入射角決定感知センサー装置を開発する。【選択図】図１
2009166024.tif 000002
【特許請求の範囲】
【請求項１】
本件は海水や湖水、泥水等から飲料水（精製水）を製造淡水化する為の装置で、淡水化装置の構造は上方外周の球状やドーム状部位に凸レンズや平凸レンズを複数個配置して、自然光、太陽光や人工光等を集光する球状集光ユニット部と、下方の基礎ベース部を基本ユニットとする自然エネルギー利用の集光式淡水化装置であり、球状集光ユニットに複数個配置された凸レンズ等は上部、横や前後方向等の各方向からの太陽光等の光束を集光し、又、設置環境によってはレンズ内外は透明な素材で全レンズをカバーし、集光ユニット内部はレンズの曇り防止と断熱の為に真空状態を保持するか、別気体を充填する等を施し、
基本ユニット下方の基礎ベース部は浮力作用を兼ねたベース土台部と、その上の受皿や冷却水管、集水口等の設備類を設置した収納部から成り、収納部内には海水等の補給水の受皿を配置して、此処に集光ユニット各レンズから入射した太陽光等を狭い範囲に焦点を合わせて集光して、海水等を加熱し沸騰、蒸発させて水分を蒸散、分離させ、
蒸発して集光ユニットの球面内側に付着した水分は内部壁面を流下させ、又ユニットの内部は水蒸気で充満するので、集水口付近に冷却水管や低温度管等を廻して水蒸気を露結させ、壁面に付着した水滴と共に下部周辺の集水口から淡水として集水採取し、回収すると同時に、
基礎ベース部の海水等の受皿容器には一定の補給水を常時自動給水し、結晶化した塩類や不純物等は適宜、別ルートへ回収し、
又、集光式淡水化装置内に漏れてきた光線や反射光を、基礎ベース収納部内に楕円鏡、放物面鏡等を設置して受皿の横や下部からも加熱する時に、淡水化装置を陸上等に固定した場合や海面等の波動に影響されない程度の大きさに熱伝導用集熱仕切板を受皿の下や横、側面などに設けて、受皿本体と共に集熱仕切板からも反射光等を集光、集熱する事が出来る集光式淡水化装置である。
【請求項２】
本件は波浪の上下運動を回転運動に変換して動力をを得る事を特徴とする、請求項１に記載の淡水化装置の基本ユニットを複数連結した状態で波動により動力発生をさせたり、発電等をする装置であり、
淡水化装置の基本ユニットを海上、湖上などで稼働する場合は基本ユニット同士を前後に複数連結して、沖から岸に向かって配置し波動の上下運動を回転運動に変換して動力等を得る事が出来、
可動式接続器具で対になっている基本ユニットの右（又は左）側ユニットには半円形型、又は直線状の基板等の上に歯車（凹凸）を有する半固定したブリッジを設置し、反対の
左（又は右）側ユニットには起動用、回転歯車用支柱の支点を設定し、ブリッジの歯車上に同支柱先の起動回転歯車を載せた構造とし、
接続部が波動により上昇、下降する度にブリッジ歯車上を起動回転歯車がブリッジ歯車に沿って回転運動を発生、順次、その回転運動を増幅しながら発電機等に伝動行う、
又、補給水容器は波動による上下運動等で補給水が振動、移動して零れそうに為った場合は波動等に合わせて受皿安定用支持器具等により受皿水面の安定化を図り、又
連結した動力発生(発電)装置を離島間や岬間等に橋渡して末端を固定する事により、
ベース土台から第一連結棒へ、先ず第一段目の紐等を吊り下げ、其の下に第一段目の連結棒同士を吊る紐等を下げて、第２の連結棒に固定し、順次各基本ユニット間の浮力が合計される迄連結棒を追加、浮力のバランスが取れた時点で最終道路用連結棒上に車道、歩道等を載せて、海水の飲料水用淡水化、電力供給等を兼ねた離島間等の連絡橋にする。
【請求項３】
本件は請求項１の集光式淡水化装置に於いて、集光ユニット部の凸レンズ、平凸レンズに太陽光や人口光等を集光する為に、球状集光ユニット外周に各レンズと対に反射鏡装置を設置し、各レンズに対応した反射鏡は各レンズの焦点距離軸線上に鏡の面積中心を設定し、鏡前後の制御用屈曲中心とする支点部も焦点距離軸線延長上に置き、各反射鏡から各対レンズに入光する時に常時焦点軸線と平行に為る様に、太陽の刻々と移動する入射角を請求項５の入射角決定感知センサー装置のデータに基づき反射鏡を変動する太陽位置が何処にあっても各レンズに向けて、集光出来る様に反射鏡装置からの入射方向を屈曲支点部を中心に自動調整する装置であり、又集光式淡水化装置の収納部内に有る補給水受皿の水蒸気出口を除いて他の上部や外周等を覆い、水面に直接照射するのではなく間接的に海水等を加熱し沸騰させ、水蒸気の出口内外は狭窄や屈曲させ長時間光束に暴露する構造にして、其処の出口部に反射鏡を経た凸レンズ等からの大部分の光を集中して、出口から出た水蒸気を再度加熱して、１００℃以上の超高温の過熱水蒸気を生成する反射鏡装置を備えた集光式過熱水蒸気生成装置である。
【請求項４】
本件は請求項１の反射鏡装置や太陽光発電モジュール（パネル）等に於いて、刻々変化する太陽光入射角を対象物に最適な角度に調整、制御する為の入射角決定感知センサーで、
半球状又は球状多面体等に一定の距離、角度を以て多数の太陽光センサーをセットし、
複数の受光センサーの中から受光感度数値の高い順に数個集計積算して、受光センサーの設置位置や角度と感度データ値の大きさをその距離と対比して、光源位置を決定し、太陽の高度、及び平面的な東西位置等を計算し、刻々変化する太陽の入射方向位置を積算決定する太陽光入射角決定感知センサー及び同積算制御装置である。
【発明の詳細な説明】
【技術分野】
【０００１】
本発明は、太陽光又は人工光源等を複数の凸レンズ(2)又は平凸レンズ(2a)で集光する球状（ドーム状）の集光ユニット部(1a)と、その下の、基礎ベース部(1b)内の上部収納部(1b-1)にある補給水受皿(1d-1)等と下部ベース土台部(1b-2)を基本ユニット(1)とする、自然エネルギー利用型の集光式淡水化装置(1)で、海水や湖水等から飲料水（精製水）を製造、淡水化する為の装置である。
【０００２】
その構造はドーム状集光ユニット(1a)の外周に凸レンズ(2)又は平凸レンズ(2a)を複数配置した形状を為し、この集光ユニット部(1a)で太陽光線等の光束を一点、又は数カ所の受皿(1d-1)上に集光する。設置環境によっては集光ユニット(1a)の凸レンズ(2)等は内外から透明な素材で全レンズをカバーし、集光ユニット部(1a)内のレンズ(2,2a)空間は曇り防止と内壁(1a-1)外壁(1a-2)との断熱の為に真空状態を保持するか、別気体を充填する。
【０００３】
その下の基礎ベース部(1b)は、即ち水上での浮力を兼ねたベース形状の土台(1b-2)部分と集光ユニット部(1a)の光束を利用して海水等を加熱し瞬時に沸騰蒸発させる補給水受皿(1d-1)や冷却水管(4)、集水口(3)等を配置した基礎ベース上部の収納部(1b-1)から為る。
集光式淡水化装置(1)の基本体は球状の集光ユニット部(1a)と基礎ベース部(1b)の二系統を合わせた基本ユニット(1)から為る構成をしている。
【０００４】
その作用は集光ユニット部(1a)の複数個の凸レンズ(2)等で全方向からの太陽光線等を下部基礎ベース(1b)の補給水受皿(1d-1)上に各レンズの焦点（Ｆ値）を合わせて集光し、１個又は数個の受皿(1d-1)内の海水等を加熱し沸騰蒸発させて水分を蒸散分離後に淡水化する。
【０００５】
淡水の集水、採取方法は蒸発した水蒸気がユニット(1)内に充満するので集光ユニット部(1a)下部基礎ベース上の収納部(1b-1)の集水口(3)付近等に冷却水管(4)を廻して水蒸気を冷却して露結させる、又集光ユニット(1a)内壁(1a-1)に付着した水分は浸潤壁面(1a-1)を流下させて、冷却管(4)露結分と共に下部集水口(3)から採取し、集水管(3a)へ導入する。
【０００６】
受皿(1d-1)内の海水等は水分が蒸発した後には補給水管(1d-3)から補給しつつ、結晶化した塩類が残るので、固形化した物と補給水の比率をチェックしながら、適宜固形物排除器具(1d-2)等で輸送コンベア(1d-4)等へ回収する。
【０００７】
波動式動力起動（発電）装置(5)は集光式淡水化装置(1)を可動式連結器具(1c)で複数個接続し、海上等に連続して並べて淡水を採取すると同時に、波浪の上下運動を回転運動に変換して動力を発生させる装置である。
【０００８】
動力起動装置(5)の構造は基本ユニット(1)同士を可動接続器具(1c)で連続して接続し、海上等に浮揚させる。基本ユニット(1)の右(又は左)側ユニット(5a-1)には半円形型(6a-1)、又は直線状(6a-2)等の基板の上部に歯車(6b)を有する半固定したブリッジ(6)を設置する。左(又は右)側ユニット(5a-2)には起動回転歯車の支柱支点(7)を設定し、ブリッジ(6)の歯車(6b)上に起動回転歯車(7a)を載せる構造を為し、ブリッジ歯車(6b)上にて起動回転歯車(7a)を左右又は上下等に移動する事により回転を発生させ、その回転を多段階(7b-n)でスピードや回転力等を増幅する事で、ここから強力な動力を得る。
【０００９】
作動方法は、右側ユニット(5a-1)のブリッジ(6)歯車(6b)上にある起動回転歯車(7a)は接続部が上昇したら、左側ユニット(5a-2)の支柱支点(7)に引っ張られて歯車(6b)上を左へ移動、即ち反時計方向へ回転を起こす。
同一面の動力起動装置(5)反対側の下降部左(又は右)側でも反時計方向への回転を発生させる。これらの回転を増幅しながら集合させて強力な動力源と為す。
【００１０】
又、各ユニット(1)相互間の重量バランス等の為に接続部の反対側でブリッジ(6)と起動回転歯車支点(7)を反対位置に設定した場合は回転方向が逆向きに為り時計方向への回転を発生させるので、同じ方向のみの回転を合力するか、伝動ベルト、歯車(8)等でクロスにして回転方向を同一に合わせて増幅する。
【００１１】
波動による上下運動等で補給水容器(1d-1)の補給水が振動、移動して零れそうに為った場合は波動等に合わせて受皿安定用支持器具(1d-5)等により容器水面の安定化を図る等、零れ防止壁等を設けて集光した光束を最適に補給水容器(1d-1)上へ安定して照射する。
【００１２】
海岸地形や海底の深さ、形状によって波高が違うので、波動式動力起動装置(5)は平均的波長や設置現場の環境、気象状況等に合わせてサイズを設定し、沖側（水面迄の距離が深い）ほど前後幅、又は基本ユニット(1)のサイズを変化させる必要な事がある。
【００１３】
動力発生（発電）装置(5)を離島間や岬同士間等に連結して橋渡し、末端を固定する。
基本ユニット(1)の機能は其の儘に、下部ベース土台(1b-2)から第一段目の吊り紐(10a-1)等を出し連結棒(9a-1)に固定し、此に吊り紐(10a-2)を下げて第２の連結棒(9a-2)に固定する。全部の浮力を合算する為に、各基本ユニット間の浮力が合計される迄連結棒(9a-n)を追加する。各ブロック間の浮力バランスが取れた時点で最終道路用連結棒(9b)上に支柱(9b-1)を立て車道(11a-1)、歩道(11a-2)等を載せて離島間等の連絡橋(11)にする。
又、サイドガードレール部では風波が連絡橋(11)へ入り込まない様に破風板を付けたり、路面を多重にして波高による揺れを抑えたり排水が良い様に溝を付ける等の工夫をする。
【００１４】
本発明は、特許願２００７−３２８６２４の請求項１に記載の集光式淡水化装置（２１）に於いて、（平）凸レンズ（２１ｅ）等を内蔵した集光ユニット部（２１ａ）の外周に反射鏡（２２ａ）を設け、各レンズ（２１ｅ）に対応した鏡面（２２a）から効率的且つ最適に集光、加熱が出来る様に外周に反射鏡装置（２２）を設置する。
本装置はタワー式集光器等の様に広い面積を必要とせず、立体化する事により面積当りのエネルギー量が少ない太陽光を小規模で効率よく最大の集光をする事に特徴がある。
【００１５】
各レンズ（２１ｅ）に対応した反射鏡（２２ａ）は凸レンズ（２１ｅ）の焦点距離に対応した軸上に鏡中心付近を設定し、屈曲自在中心部も同軸上に設定する。
太陽位置に近い側のレンズ（２１ｅ）には反射量は少なくても直接光線が多く、陰になる反対側は反射鏡装置（２２）からの光量が最大になり、全周のレンズ（２１ｅ）から無駄なく効率よく集光出来る。
【００１６】
四季による緯度変動や日中の朝〜夕方の東西変動、及び高度変化により刻々と変化する太陽光入射角に対し、反射鏡（２２ａ）から来た凸レンズ面上の反射光がレンズ（２１ｅ）の光軸に対し平行に入光する様に鏡面角度を変化させて、入射角変動を自動的に調整する。
【００１７】
図１の例での、反射鏡の前面にコントロールモーター部（２４）を配した反射鏡装置（２２）は凸レンズ（２１ｅ）等の焦点軸上に鏡固定用支柱（２２ｃ）の屈曲自在中心部を固定し、その内に調整用モーター箱（２４）をセットし東西方向調整モーター（２４ａ−１）と高度方向調整モーターセット（２４ａ−２）を収納する。
東西方向調整モーター（２４ａ−１）は先の高度方向調整モーター（２４ａ−２）の入った先端箱共に平面的な東西方向の変動に対してベルト、チェーン（２４ａ−３）等を介するか、又は単独、直接に方向回転させる。此により高度方向調整モーター（２４ａ−２）、反射鏡（２２ａ）共に、全体を太陽光入射方向の東西変化に合わせて、朝昼夕と毎日移動させる。
高度方向調整モーター（２４ａ−２）はベルト、チェーン（２４ａ−３）等を介するか、
又はステッピングモーター等で直接に反射鏡（２２ａ）を稼動して、太陽光入射角の高度や緯度に合わせて高度方向調整モーター（２４ａ−２）を回転制御する。
【００１８】
図６例での前面アーム連動式装置（２３ａ）の場合は、鏡中心は反射鏡（２２ａ）のレンズ（２１ｅ）焦点軸上に配置する。背面の鏡固定用支柱（２２ｃ）位置は鏡背面中心を自在（球）付き支持部材で接続する。
反射鏡（２２ａ）の前面にあるアーム連動用バー（２３ａ）は鏡背面固定用支柱（２２ｃ）の反対側に設置し、第１アーム（２３ａ−１）の先端部には方向調整アーム（２３ａ−２）の末端を接続し、自在に回転出来る様にする。
凸レンズ（２１ｅ）と鏡背面固定用支柱（２２ｃ）の間に調整用モーター類ＢＯＸ（２４）を設置する。箱内モーター等には東西方向調整モーターセット（２４ａ−１）と高度方向調整モーターセット（２４ａ−２）を収納し、第１アーム（２３ａ−１）内のベルト（２３）等を介して、各移動に追従して調整制御する。
又、反射鏡（２２ａ）が風力に耐える為には高度方向調整モーターセット（２４ａ−２）を外側上部に取付てアームで補強材を兼ねる事が出来る。
【００１９】
調整モーター箱（２４）内の東西方向調整モーター（２４ａ−１）は高度方向調整モーター（２４ａ−２）の入った先端部共か個別に東西方向に回転させる。此により反射鏡（２２ａ）を太陽光入射方向の東西変化に合わせて、朝から夕方まで毎日移動させる。
高度方向調整モーター（２４ａ−２）はベルト（２３）等を介して連動用支柱（２３ａ−２）を稼動して太陽光入射角の高度に合わせて高度方向調整モーター（２４ａ−２）を回転制御する。
【００２０】
尚、太陽の四季による南北方向の緯度変動は（北、南極等に近く緯度の高い所は例外）微々たるものなので、屋上設置の太陽光発電モジュール等で手軽に調節出来る場合は季節に合わせて年に何回か手動で調整しても良い。
【００２１】
東西方向調整モーター（２４ａ−１）及び高度方向調整モーター（２４ａ−２）の変動数値は請求項４の入射角感知センサー装置（２５）から個々の凸レンズ（２１ｅ）の反射鏡装置（２２）へデータを得て、各レンズ（２１ｅ）の固定設置角度と太陽光の入射角度に合わせて積算し、個々の反射鏡（２２ａ）角度を調整設定する。
【００２２】
入射角決定感知センサー装置（２５）は反射鏡装置（２２）を付けた集光式淡水化装置（２１）や太陽光発電モジュール等用に太陽光の入射角を感知し太陽の位置情報を積算して、太陽位置（上下左右）を決定する為の装置で、その仕組みと制御方法等を開発する事にある。
【００２３】
入射角感知センサー装置（２５）は半球状又は球状多面体（２５ａ−１）等に受光センサー（２５ａ）を多数、一定の距離や一定の角度で配置して光線の強度を感知し数値化する。
高感度のデータから順次、数個（５個程度かそれ以上）（２５a）の値を最初に平面的な受光センサー位置（２５ｂ−１、−２〜）と感度データ値の大きさを対比して、その距離に反比例した光源位置を決定し、太陽の刻々と変動する平面的な左右東西位置を決定する。
【００２４】
図１１の左側の平面例図に於いて、球状多面体（２５ａ−１）に設置された受光センサー（２５ａ）間の太陽位置を星マーク位置と仮定する。星マークを中心に点線円内に５個の受光センサー（２５ｂ−１〜２５ｂ−５）がある。それぞれの受光センサー（２５ｂ）の感度数値に反比例した距離から太陽位置をデータとして決定する。
トップからの比例位置（２５e−１）と其の下の比例位置（２５e−２）を右側面図に対比して比例位置（２５e−１’）と比例位置（２５e−２’）を得て、角度αを確認する。
２５e−１：２５e−２＝２５ｅ−１’：２５ｅ−２’
sin α＝２５ｅ−２’／c
同時に中央線（又は末端）からの距離も決定する。又、始めに高度から積算してもよい。
【００２５】
図１２例図の右側面図に上記図１１の右側面図の角度αを入力する。
と、次式が成立する
２５f−１：２５f−２＝２５f−１’：２５f−２’
sin α＝２５f−２’／c
c＝２５f−１＋２５f−２
本式により、角度αの南北高度が確認出来る。同時に図１１の中央線（又は左右末端）からの垂直線と（２５ｅ−１’）、（２５ｅ−２’）交点からの水平線の交差する左側断面図上に仮想星マーク位置が決定され、四季変動の緯度、朝昼夕方の変化による高度を決定する。
同様に２５g−１及び２５g−２も三角関数で計算する。
【００２６】
決定された星マーク位置データを集光式淡水化装置（２１）や太陽光発電モジュール等の制御回路に伝送し、刻々と変化するデータで個々の機器に最適な積算を行い、制御する。
【００２７】
過熱水蒸気発生装置（２６）で普通の水蒸気を生成する場合には反射鏡装置（２２）、集光ユニット部（２１ａ）の凸レンズ（２１ｅ）等を経由した光束は蒸気出口（２６ａ）周辺に分散してレンズ（２１ｅ）からの入射軸方向を分散調整し、間接的に海水等を加熱し沸騰させる。
【００２８】
過熱水蒸気を生成する場合には太陽光の集中する過熱水蒸気の出口（２６ａ）は狭窄し、蒸気通路構造は迂回させて充分に高温に接触する様にして、出口上部（２６ａ）に於いて、水蒸気を直接に光束で再加熱し１００度以上の超高温に達する過熱水蒸気を生成する。
【００２９】
過熱水蒸気は１００度以上の超高温の為、ガラス等の高温に耐えられる容器の過熱水蒸気回収笠（２６ｂ）等でも回収を行う。
【００３０】
淡水化装置（２１）の基礎ベース収納部（２１ｂ）内に設置された楕円鏡、放物面鏡（２７）等は集光ユニット部（２１ａ）から漏れてきた光線や反射光を海水等の補給水受皿（２１ｃ）の下部等からも集光し加熱する為の装置である。
【００３１】
淡水化装置（２１）を陸上等に固定した場合や動力起動（発電）装置（２１ｄ）等では波動に影響されない程度の大きさに成形して、集熱仕切板（２８）を受皿（２１ｃ）の下や横等に設ける。集熱仕切板（２８）の横等からも放物面鏡（２７）等で（乱）反射されたのを集光、集熱する。
【背景技術】
【００３２】
既存の淡水化プラントは逆浸透膜方式が主流で、一部に太陽光（熱）利用方式が有る。
主流の逆浸透膜式は初期設備投資が膨大に掛かり、又メンテナンスに手間が掛かりすぎる。
太陽光（熱）利用方式は効率の良い物が無く、ランニングコストが掛かり過ぎ、太陽光（熱）利用方式は広大な面積を必要として効率の良い物が無く、淡水を大量に製造するのにはあまり向いていないのが現状。
【特許文献１】特許２００７−０９０１５９（凸レンズ）
【特許文献２】特許２００６−１５０１４７、−１５０１４８（太陽光）
【特許文献３】特許２００５−８７８２１（太陽熱、逆浸透膜）
【特許文献４】特許２００４−１６０３０１（凸レンズ）
【特許文献５】特許２００３−３４０４３９（太陽熱受熱板）
【特許文献６】特許２０００−１５４７７４（波力変換）
【特許文献７】特許平９−１２２６４４（振子式波力ポンプ、淡水化装置）
【特許文献８】特許平８−１３４９６３（太陽光で海面を加熱）
【特許文献９】特許平６−２２６２４７（吸熱屋根、噴霧器）
【特許文献１０】特許ＷＯ０１／０７２６３８（太陽熱交換器）
【特許文献１１】特許ＷＯ９７／４８６４６（太陽熱集熱器）
【特許文献１２】特許２００６−６０１８０（自動追尾ソーラー発電）
【特許文献１３】特許２００５−２７６７９３（光方向検知センサー付太陽光反射）
【特許文献１４】特許２００４−３０９０９８（光位置検知センサー付天火乾燥）
【特許文献１５】特許２００３−２４０３５６（太陽追尾システム）
【特許文献１６】特許２００３−３１８３５（光位置検知センサー付き太陽光発電）
【特許文献１７】特許２００２−２７７０６３（太陽追尾装置）
【特許文献１８】特許２０００−１４６３１０（集光システム用のヘリオスタット）
【特許文献１９】特許平１１−１１９１０５（太陽光集光システム）
【特許文献２０】特許平６−３２３８５０（太陽光方向センサー）
【特許文献２１】特許平６−３２３８４８（太陽光方向センサー）
【発明の開示】
【発明が解決しようとする課題】
【００３３】
解決しようとする第一の課題として、この集光式淡水化装置は太陽光線等をドーム構造の全方位から集光する構造に特徴があり、補給水受皿上の狭い範囲に各レンズ焦点（Ｆ値）を合わせて光束を集中し、海水等を短時間に、且つ大量に沸騰蒸発させた後に淡水として回収する事が出来て、自然エネルギーで淡水化、大量生産する事にある。又、受皿に蓄積された塩類は排除して、その中の有用なミネラル分は有効に再利用する。
【００３４】
第二の課題として、同上淡水化基本ユニットを複数連結して海上等に設置して、波動による上下運動を回転運動に変換して動力を得る事で、自然エネルギーにより発電装置等を得る。又基本ユニットを複数連結した物を離島間等に橋渡した場合は、不便な離島の飲料水や電力の確保と共に、新交通手段としての課題を解決する事が出来る。
【００３５】
解決しようとする課題は集光式淡水化装置に於いて、効率的、且つ最適に集光、加熱が出来るように反射鏡装置を設置する事により、超高温の１００℃以上の過熱水蒸気が生成出来る迄にする事にある。
【００３６】
過熱水蒸気は利用範囲が広いので、マイクロタービンや吸収式冷凍機への熱利用、燃料電池の水素やメタノールの生産、フロンガス，ＰＣＢ等有害物質の無毒化などの原資料を自然エネルギーのみで製造する事を課題とする。
【００３７】
次に解決しようとする課題は集光式淡水化装置で反射鏡装置を制御したり、太陽光発電モジュール等で最大の光量を得る為には精度が良く応用範囲の広い太陽光等の入射角決定感知センサー装置が必要である。
【００３８】
最適な過熱水蒸気を発生させる為には、受皿上部の水蒸気の出てくる部分の構造をどの様な特殊加工したら良いかが課題です。
【００３９】
集光式淡水化装置で、上部の集光ユニット部からベース収納部へ漏れてきた光線や乱反射光等を無駄なく利用する為に放物面鏡や集熱仕切板等の付属物を付加した構造にする。
【課題を解決するための手段】
【００４０】
ドーム状構造物の全外周に複数の凸レンズ、又は平凸レンズを配置し、太陽光等を集光する球状の集光ユニット部、及びその下の基礎ベース部に補給水源の受皿、集水口や水上での浮力を兼ねたベース形状土台等を配置したのを基本ユニットとする集光式淡水化装置である。
【００４１】
集光ユニット部は複数の凸レンズ等を配置し、全レンズからの光束を一個、又は数カ所の受皿上に集光する。太陽光等を受皿に集中する事により、依り高温が確保出来て海水等を瞬時に蒸発する事が可能になり、太陽光等自然エネルギーを利用して省エネで大量生産を可能にした集光式淡水化装置である。
【００４２】
基礎ベース収納部には海水等の給水受皿を置き、受皿水面に各レンズの焦点を合わせて集光し、海水を加熱蒸発させる。水蒸気に為った物を冷却水管等で冷却して露結させる、又集光ユニット内壁に付着した水分は浸潤壁面を流下させ、露結分と共に下部集水口から回収し集水管へ送る。
【００４３】
波動式動力起動装置等は集光式淡水化装置の基本ユニット同士を可動式接続器具で連続して接続し、海上等に浮揚させて波浪の上下運動を回転運動に変換する装置である。
【００４４】
接続され対になった基本ユニットの右側ユニットには半円形型又は直線状の基板の上部に歯車（凹凸）を有する半固定したブリッジを設置する。左側ユニットには起動用、回転歯車の支点を設定し、ブリッジの歯車上に同起動用回転歯車を載せ、接続部が波動により上昇、下降する度にブリッジ上を起動回転歯車がブリッジ歯車に沿って回転運動を発生する。順次、その回転運動を増幅しながら発電機等に伝動する。
【００４５】
動力起動装置のベース土台の浮力を活用して離島間、又は岬同士に連結し、高波対策を施したら飲料水や電力の供給等と共に鉄橋や連絡船の代わりに為り、水中の膨大な基礎工事の設置投資が少なくて済み、連絡船の運行経費の燃料代等が少なくて済みます。船舶の横断には中央か水深の最適な所に支柱を立て、車道や歩道を開閉式等にして解決する。
【００４６】
集光式淡水化装置等に於いて、太陽光エネルギーを効率的に集光し、高温にする為に各凸レンズの外周に反射鏡装置を設置する。
【００４７】
各レンズに対応した反射鏡はレンズの焦点軸上に鏡中心及び屈曲中心部を置く。各レンズに反射光が入光する時に焦点軸線上と平行に為る様に太陽の移動による入射角変動を反射鏡装置により、レンズに向けて自動調整する。
【００４８】
高温の過熱水蒸気を生成する為に、水蒸気出口を除いて上部外周等を覆い、水面に直接照射するのではなく間接的に補給水受皿の外周から海水等を加熱し沸騰させる。
水蒸気の出口は狭窄、屈曲させて、其処に反射鏡を経た凸レンズ等からの光を集中し、出口からの水蒸気を再加熱し１００度以上の過熱水蒸気を生成する
【００４９】
集光式淡水化装置内に漏れてきた光線や反射光を、基礎ベース収納部内に楕円鏡、放物面鏡、集熱仕切板等を設置して受皿の横、下部からも加熱する。
【００５０】
反射鏡装置や太陽光発電モジュール等に於いて、刻々変化する太陽光入射角を対象物に最適な角度に調整する為には、受光センサー中から受光感度数値の高い順に数個積算して太陽の高度、及び立体的な位置等を計算して刻々変化する太陽の入射方向位置を決定する入射角決定感知センサー装置が必須である。
【００５１】
球状多面体等に設置された複数の受光センサーから受光感度数値の高い順番に数個積算して太陽の高度、及び立体的な東西位置等を積算して刻々変化する太陽の入射角度、方向位置を決定する。
その位置情報で集光式淡水化装置に於いて、反射鏡装置の角度を調整して各凸レンズへ最適に入光する様にする。
【発明の効果】
【００５２】
地球規模の異常気象により、洪水の一方で干ばつによる砂漠化が進行している。
砂漠化の拡大を防止する為の植林をはじめ、汚染された井戸水を利用せざるを得ない地区も地球上には存在します、生命維持に不可欠の飲料水の確保は至上命題です。
本集光式淡水化装置は辺境の場所でも、自然エネルギーのみで稼働するから、２１世紀に大爆発が予想される「水問題」を無動力で解決する事が出来るシステムである。
【００５３】
海上や湖上の自然エネルギーを利用する波動式動力起動装置は風によって発生した波高の上下運動を回転運動に変換して動力を得て発電等を起動出来る省エネ型の装置である。
【００５４】
動力発生（発電）装置を離島間や岬同士間等に連結して橋渡しする事により、離島での飲料水、電力問題を解決すると共に、離島間の交通手段（車道、歩道等）を経済的に建設可能で連絡橋として活用して離島の不便な交通も解決する事が出来る。
【００５５】
過熱水蒸気発生装置は集光式淡水化装置に反射鏡装置を設置する事により、出口からの水蒸気を再加熱して１００度以上の高温水蒸気を生成する。
【００５６】
過熱水蒸気はマイクロタービン発電機や吸収式冷凍機への高熱利用、燃料電池の水素やメタノールの生産、フロンガス，ＰＣＢ等有害物質の無毒化等の原資料を生成する。
本集光式淡水化装置は小面積の規模で自然エネルギーのみで過熱水蒸気を製造する事が出来る。
【００５７】
太陽光の入射角決定感知センサー装置は集光式淡水化装置で反射鏡装置を制御したり、太陽光発電モジュール等で最大の光量を得る為には精度が良く応用範囲の広い太陽位置（上下左右）を決定し、制御する事が出来る。
【発明を実施するための最良の形態】
【００５８】
自然光を利用した集光式淡水化装置はドーム状の全外周に複数の凸レンズ等を複数配置した基本ユニットの上部を為し、太陽光等の各光束を一点に集光する。海水等の補給水の受皿や淡水の集水口等を配置した基礎ベース部を下部に配し、これを基本ユニットとした第一図に示す様な最良の形態を為す。
【００５９】
集光式淡水化装置に反射鏡装置を取り付け、出口水蒸気に集中的に太陽光等を照射して高温の過熱水蒸気を発生させる。
【００６０】
反射鏡装置のサイドの低い位置に於いては、反射鏡は回転駆動した時に集光ユニット、レンズ等に接触しない距離に離して設置する。
両サイドより、高い位置から中央部に架けては順次取付位置を高くして装置による陰を最小にし、光源が低い朝夕の位置でも最大の光量を満遍なく反射出来る様に設置する。
【００６１】
入射角感知センサー装置は球状多面体等に受光センサーを多数、ある距離や一定の角度で配置して、光線の強度を感知し数値化、積算する機能を有する。
【実施例１】
【００６２】
図１は、集光式淡水化装置の基本ユニット部の立面図。
基礎ベース部は下ベース土台（浮力）部と上受皿等収納部から為る。
上部の集光ユニット部で自然光等を集光し補給水受皿の水を蒸発させる。
基本ユニットは基礎ベース部と集光ユニット部から為る。
【実施例２】
【００６３】
図２の左図は集光式淡水化装置の1基本ユニット部の正面断面図、右図は補給水受皿の  集光側断面図。
平凸レンズ等で集光し補給水受皿上に集束する。
波動によって補給水受皿の水面が不安定に成るので補給水管等から安定化を図る。
【実施例３】
【００６４】
図３の上図の左は下図の側面図、中央は補給水受皿の正面、右は下図の側面図。
図３の下図は基本ユニット同士の連結器具で接続した平面図。
内左は受皿の固形物排除器具、中央は(平)凸レンズ図、右は補給水受皿図。
上下左図は受皿の固形物排除器具で塩類等を掻き出して輸送ベルトへ
排出する平面と側面図。
中央上下図は集光ユニットの平凸レンズ平面と受皿上への集光正面図
右上下図は補給水受皿の平面と側面図
【実施例４】
【００６５】
図４の上図は半円形ブリッジの波動式動力起動装置が波長に乗った正面図。
図４の下図は上図の平面図。
中央上図の右側は波高の最高部へ上昇する状態で、右側ユニットのブリッジ上の
起動回転歯車が反時計方向に回転する。左側下降状態でも反時計回転する。
【実施例５】
【００６６】
図５の上図は直線状ブリッジの波動式動力起動装置が波長に乗った正面図。
図５の下図は平地に設置した状態の波動式動力起動装置正面図。
中央上図の右側は波高の最底部から上昇する状態なら、直線状のブリッジ上の
起動回転歯車が時計方向に回転する。左側歯車も同様に時計方向へ回転する。
【実施例６】
【００６７】
図６は左右に波動式動力起動装置を左右に並べて中央に車道をセットした立面図。
【実施例７】
【００６８】
図７は図６の浮力を合算する連結棒や連結棒の吊り紐等を拡大した図。
各動力起動装置の浮力を合算して連絡橋の下方から最終道路用連結棒や道路連結棒 の支持棒等で支えて安定性を確保する。又、サイドガードレール部では風波が連絡 橋へ入り込まない様に破風板を付けたり、路面は排水が良い様に溝を付ける等の
工夫をする。
【実施例８】
【００６９】
図１１は、集光ユニット部（平凸レンズ）、反射鏡装置の中央正面断面図例。
左３０度からの入射光を反射鏡で凸レンズへ集めて、補給水受皿の水蒸気出口へ
光束を集中する。
【実施例９】
【００７０】
図１２は図１１の右下部の拡大図
レンズ方向の鏡面中央に調整、制御用機械箱を設置した図。
左３０度からの入射光は鏡面高さのほぼ全反射光を平凸レンズ全面へ収束した例
【実施例１０】
【００７１】
図１３は図１２の調整、制御用機械箱の拡大側面図。
東西方向調整モーター、高度方向調整モーターセット等の側面図
【実施例１１】
【００７２】
図１４は図１３の調整、制御用機械箱の拡大平面図。
東西方向調整モーターは円周を軸にして朝夕回転する。
【実施例１２】
【００７３】
図１５は図１３の調整、制御用機械箱を鏡面の反対側に設置した側面図。
鏡の屈曲部は鏡の外側に設定する。
【実施例１３】
【００７４】
図１６は集光ユニット部とアーム連動式装置の中央正面断面図。
左３０度からの入射光を反射鏡で凸レンズへ集めて、補給水受皿の水蒸気出口へ
光束を集中する。
【実施例１４】
【００７５】
図１７は図１６の右下部の拡大図。
アームを鏡面側に、鏡固定用支柱(自在部材付)を反対側に設置した例図。
【実施例１５】
【００７６】
図１８は図１６の第１、第２アーム連動式装置の拡大図
【実施例１６】
【００７７】
図１９は鏡背面からピンを出しピン先をベルト類で制御する調整制御用機械箱拡大例 図
【実施例１７】
【００７８】
図２０は図１９の平面図。
【実施例１８】
【００７９】
図２１の左は球状多面体に受光センサーを一定の距離や角度で多数配置した平面図。
赤道付近では全周辺（図中上）にも受光センサーを設置する。
右図は光源位置の側断面図
【実施例１９】
【００８０】
図２２左は球状多面体に受光センサーを３０度角度で多数配置した例の中央断面図。
右図は光源位置の側断面図
【実施例２０】
【００８１】
図２３は集光ユニット部、基礎ベース収納部の中央正面断面図。
過熱水蒸気出口、過熱水蒸気回収笠、集熱仕切板、放物面鏡等含む
【実施例２１】
【００８２】
図２４は集光ユニット部、基礎ベース収納部等の中央側面断面図。
各方向からの入射光の反射ルート図含む
【実施例２２】
【００８３】
図２５は補給水受皿の平面図。
過熱水蒸気出口、塩類排出口、回収笠等含む。
【実施例２３】
【００８４】
図２６は補給水受皿の正面断面図。
塩類等の排出（左端は排出口）機構、集熱仕切板等含む
【実施例２４】
【００８５】
図２７は補給水受皿の側面図。
集熱仕切板等含む
【実施例２５】
【００８６】
図２８は過熱水蒸気出口の平面図。
【実施例２６】
【００８７】
図２９は過熱水蒸気出口の正面断面図。
水滴噴出防止板含む
【実施例２７】
【００８８】
図３０は過熱水蒸気出口の側面拡大図。
蒸気の迂回路含む。
【産業上の利用可能性】
【００８９】
地球上では温暖化に伴う異常気象により、洪水の一方で、干ばつによる砂漠化が急速に進行している。緑豊かに輝く地球と生命維持に不可欠の飲料水の確保は重大問題です。
これを陸上、海上あらゆる場所に設置、駆動出来るのが集光式淡水化装置です。
【００９０】
特に本集光式淡水化装置は自然エネルギーのみで稼働可能なので、水問題の深刻な辺境の場所でも太陽さえ確保出来たら稼働し淡水の大量生産が出来ます。
【００９１】
淡水の大量生産で砂漠化を防止し、森林や草原、耕作地を再生する事は「産業上の利用可能性」だけでなく大気中の炭素ガスを減少させ、地球温暖化の防止に役立ち人類の直面している地球規模の危機に役立つ装置である。
【００９２】
動力起動装置は海上や湖上の風によって発生する波高の上下運動を回転運動に変換して動力を得て発電等を起動する波動式自然エネルギーを利用する省エネ型の装置である。
【００９３】
動力起動（発電）装置を離島間や岬同士間等に連結して橋渡しする事により、離島での飲料水、電力問題を解決すると共に、離島間の交通手段を経済的に建設可能で、車道歩道等の連絡橋として活用して離島の不便な交通も解決する事が出来る。
【００９４】
過熱水蒸気はマイクロタービン発電機や吸収式冷凍機への高熱利用、燃料電池の水素やメタノールの生産、フロンガス，ＰＣＢ等有害物質の無毒化等の原資料を生成する。
本集光式淡水化装置は小規模、自然エネルギーのみで過熱水蒸気を製造する事が出来る。
【００９５】
入射角決定感知センサー装置は集光式淡水化装置で反射鏡装置を制御したり、太陽光発電モジュール等で最適で最大の光量を得たり制御する為に、精度が良くて応用範囲の広い太陽位置を決定するセンサー装置である。
【図面の簡単な説明】
【００９６】
【図１】集光式淡水化装置の基本ユニット部の立面図。
【図２】集光式淡水化装置の正面断面図、右図は補給水受皿の集光側断面図。
【図３】上図の左は下図の側面図、中央は補給水受皿の正面、右は下図の側面図。  下図は上の平面図。
【図４】上図は半円形ブリッジの波動式動力起動装置が波長に乗った正面図。  下図は上図の平面図。
【図５】上図は直線状ブリッジの波動式動力起動装置が波長に乗った正面図。  下図は平地に設置した状態の波動式動力起動装置正面図。
【図６】波動式動力起動装置を左右に並べて中央に車道をセットした立面図。
【図７】図６の連結棒や連結棒の吊り紐等を拡大した図。
【図１１】左上３０度からの入射光を反射鏡で凸レンズ、過熱水蒸気出口へ集めた 反射鏡装置の中央立断面図例。
【図１２】図１１の右下部の拡大図。鏡面反射光を平凸レンズへ効率よく反射する。
【図１３】図１２の調整制御用機械箱の拡大側面図。東西、高度方向調整モーターの ベルトで鏡を制御する。
【図１４】図１３の平面図。東西は円周を軸にして朝夕回転する。
【図１５】レンズ、鏡の反対側に調整、制御用機械箱を設置した側面図。
【図１６】集光ユニット部とアーム連動式装置の中央正面の補給水受皿の水蒸気出口へ 光束を集中した断面図。
【図１７】図１６の右下部の拡大図。
【図１８】図１７の第１、第２アーム連動式装置、制御用機械箱の拡大図。
【図１９】鏡背面からピンを出してピン先をベルト類で制御する調整制御用機械箱拡大 図。
【図２０】図１９の平面図
【図２１】左は球状多面体に受光センサーを一定の距離や角度で多数配置した平面図。
【図２２】左は球状多面体に受光センサーを３０度の角度で配置した中央断面図例。
【図２３】過熱水蒸気出口部、過熱水蒸気回収笠、集熱仕切板、放物面鏡等の 集光ユニット部、基礎ベース収納部の中央正面断面図。
【図２４】各方向入射光の反射ルート図を含む図２３の中央側面断面図。
【図２５】中央に過熱水蒸気出口を配した補給水受皿の平面図。
【図２６】塩類排出（左端は排出口）機構図を含む補給水受皿の正面図。
【図２７】補給水受皿の側面図。
【図２８】過熱水蒸気出口の平面図。
【図２９】過熱水蒸気出口の正面断図。
【図３０】蒸気の迂回路含む過熱水蒸気出口の側断面図。
【符号の説明】
【００９７】
１ 基本ユニット(集光式淡水化装置)１a 集光ユニット部
１a-1 球面内壁面    １a-2 球面外壁面
１b 基礎ベース部   １b-1 基礎ベース部内の上部受皿等の収納部
１b-2 基礎ベース部の下部ベース土台（浮力）部
１c 基本ユニット同士の連結器具
１d-1 補給水の受皿   １d-2 受皿の固形物排除器具
１d-3 受皿用の補給水管   １d-4 塩類等の輸送機器（コンベア、ベルト等）
１d-5 受皿安定用の支持器具
２ 凸レンズ    ２a 平凸レンズ
３ 淡水の集水口   ３a 集水管
４ 冷却水管
５ 波動式動力起動装置又は波動式発電装置（浮揚した基本ユニットの連結状態）
５a 基本ユニットの可動式連結器具
５a-1 ブリッジ側の右(又は左)側ユニット
５a-2 起動回転歯車の支点側の左(又は右)側ユニット
６ ブリッジ基板   ６a-1 半円形のブリッジ
６a-2 直線状のブリッジ   ６b ブリッジ上の歯車
７ 起動回転歯車の支柱支点  ７a 起動回転歯車の歯車部
７b-n スピード、回転力を増幅する回転部（多段階）
８ ベルト、歯車等の動力伝動用具
９ 浮力を合算する連結棒  ９a-1 第一段目連結棒
９a-2 第二段目連結棒   ９a-n 第Ｎ段目の連結棒
９b 最終道路用連結棒   ９b-1 道路連結棒の支持棒
１０ 連結棒用の吊り紐   10a-1 第一段目吊り紐
10a-2 第二段目吊り紐   10a-n 第Ｎ段目の吊り紐
11 連絡橋    11a-1 連絡橋上の車道
11a-2 連絡橋上の歩道
２１ 集光式淡水化装置   ２１a 集光ユニット部
２１b 基礎ベース収納部   ２１c 補給水受皿
２１d 動力起動（発電）装置  ２１e 凸レンズ、又は平凸レンズ
２２ 反射鏡装置    ２２a 反射鏡
２２b-1鏡前面支柱    ２２b-2鏡前面のアーム連動バー
２２c 鏡固定用支柱(自在部材付)
２３ 方向調整用アーム又はベルトチェーン類
２３ａアーム連動式装置
２３ａ-1第１アーム   ２３ａ-2第２アーム
２４ 調整、制御用機械箱（ステップピングモーター等）
２４a-1東西方向調整モーターセット
２４a-2高度方向調整モーターセット
２５ 入射角決定感知センサー装置
２５a 受光センサー
２５a-1センサー設置用半球状又は球状多面体
２５b-1,2平面的位置関連受光センサー ２５c-1,2断面的位置関連受光センサー
２５d-1,2受光センサー間の平面的位置の比例数値
２５e-1,2図１１平面の上下比例値 ２５e-1',2'左値の図１１側断面の比例値
２５f-1,2図１２高度位置の上下比例値 ２５f-1',2'左値の図１２側断面の比例値
２５g-1,2図１２高度位置側断面の円接線上下比例値
２６ 過熱水蒸気発生装置  ２６a 過熱水蒸気出口
２６b 過熱水蒸気回収笠
２７ 基礎収納部内の楕円鏡、放物面鏡等
２８ 集熱仕切板
【図１】
2009166024.tif 000003
【図２】
2009166024.tif 000004
【図３】
2009166024.tif 000005
【図４】
2009166024.tif 000006
【図５】
2009166024.tif 000007
【図６】
2009166024.tif 000008
【図７】
2009166024.tif 000009
【図１１】
2009166024.tif 000010
【図１２】
2009166024.tif 000011
【図１３】
2009166024.tif 000012
【図１４】
2009166024.tif 000013
【図１５】
2009166024.tif 000014
【図１６】
2009166024.tif 000015
【図１７】
2009166024.tif 000016
【図１８】
2009166024.tif 000017
【図１９】
2009166024.tif 000018
【図２０】
2009166024.tif 000019
【図２１】
2009166024.tif 000020
【図２２】
2009166024.tif 000021
【図２３】
2009166024.tif 000022
【図２４】
2009166024.tif 000023
【図２５】
2009166024.tif 000024
【図２６】
2009166024.tif 000025
【図２７】
2009166024.tif 000026
【図２８】
2009166024.tif 000027
【図２９】
2009166024.tif 000028
【図３０】
2009166024.tif 000029
【手続補正書】
【提出日】平成20年12月17日(2008.12.17)
【手続補正１】
【補正対象書類名】特許請求の範囲
【補正対象項目名】請求項３
【補正方法】変更
【補正の内容】
【請求項３】
本件は請求項１の集光式淡水化装置に於いて、〜太陽の刻々と移動する入射角を請求項４の入射角決定感知センサー装置のデータやタイマー等に基づき反射鏡を変動する太陽位置が何処にあっても各レンズに向けて、〜。
【手続補正２】
【補正対象書類名】明細書
【補正対象項目名】０００８
【補正方法】変更
【補正の内容】
【０００８】
動力起動装置(5)の構造は〜基本ユニット(1)の隣接する右(又は左)側ユニット(5a-1)には半円形型(6a-1)、又は直線状(6a-2)等の基板の上部に歯車(6b)を有する半固定したブリッジ(6)を設置する。〜。
【手続補正３】
【補正対象書類名】明細書
【補正対象項目名】００１４
【補正方法】変更
【補正の内容】
【００１４】
本発明は、（削除）集光式淡水化装置（１）に於いて、（平）凸レンズ（２,２ａ）等を内蔵した集光ユニット部（１ａ）の外周に反射鏡（１３ａ）を設け、各レンズ（２）に対応した鏡面（１３a）から効率的且つ、最適に集光、加熱が出来る様に外周に反射鏡装置（１３）を設置する。
本装置はタワー式集光器等の様に広い面積を必要とせず、立体化やユニット化する事により面積当りのエネルギー量が少ない太陽光を小規模で効率よく最大の集光をする事に特徴がある。
【手続補正４】
【補正対象書類名】明細書
【補正対象項目名】００１５
【補正方法】変更
【補正の内容】
【００１５】
各レンズ（２）に対応した反射鏡（１３ａ）は凸レンズ（２）等の焦点距離に対応した軸上に鏡中心付近を設定し、屈曲自在中心部も同軸上に設定する。
太陽位置に近い側のレンズ（２）には反射量は少なくても直接光線が多く、陰になる反対側は反射鏡装置（１３）からの光量が最大になり、全周のレンズ（２）から無駄なく効率よく集光出来る。
【手続補正５】
【補正対象書類名】明細書
【補正対象項目名】００１６
【補正方法】変更
【補正の内容】
【００１６】
四季による緯度変動や日中の朝〜夕方の東西変動、及び高度変化により刻々と変化する太陽光入射角に対し、反射鏡（１３ａ）から来た凸レンズ面上の反射光がレンズ（２）の光軸に対し平行に入光する様に鏡面角度を変化させて、入射角変動を自動的に調整する。
【手続補正６】
【補正対象書類名】明細書
【補正対象項目名】００１７
【補正方法】変更
【補正の内容】
【００１７】
図８，９，１０，１１例の、反射鏡の前面にコントロールモーター部（１４）を配した反射鏡装置（１３）は凸レンズ（２）などの焦点軸上に鏡固定用支柱（１５）の屈曲自在中心部を固定し、その内に調整用モーター箱（１５）をセットし、東西方向調整モーター（１５ａ−１）と高度方向調整モーターセット（１５ａ−２）を収納する。
東西方向調整モーター（１５ａ−１）は高度方向調整モーター（１５ａ−２）の入った先端箱共に平面的な東西方向の変動に対してベルト、チェーン（１４）等を介するか、又はタイマーや定速モーター等で上部の集光ユニット（１a）及び反射鏡装置（１３）等を駆動して単独、直接に方向回転させる。
此により高度方向調整モーター（１５ａ−２）、反射鏡（１３ａ）共に、全体を太陽光入射方向の東西変化に合わせて、朝昼夕と毎日移動させる。
高度方向調整モーター（１５ａ−２）はベルト、チェーン（１４ａ−３）等を介するか、
又はステッピングモーター等で直接に反射鏡（１３ａ）を稼動して、太陽光入射角の高度や緯度に合わせて高度方向調整モーター（１５ａ−２）を回転制御する。
【手続補正７】
【補正対象書類名】明細書
【補正対象項目名】００１８
【補正方法】変更
【補正の内容】
【００１８】
図１３、１４，１５例での前面アーム連動式装置（１４ａ）の場合は、鏡中心は反射鏡（１３ａ）の凸レンズ（２）焦点軸上に配置する。背面の鏡固定用支柱（１３ｃ）位置は鏡背面中心を自在（球）付き支持部材で接続する。
反射鏡（１３ａ）の前面にあるアーム連動用バー（１４ａ）は鏡背面固定用支柱（１３ｃ）の反対側に設置し、第１アーム（１４ａ−１）の先端部には方向調整アーム（１４ａ−２）の末端を接続し、自在に回転出来る様にする。
凸レンズ（２）と鏡背面固定用支柱（１３ｃ）の間に調整用モーター類ＢＯＸ（１５）を設置する。箱内には東西方向調整モーター類（１５ａ−１）と高度方向調整モーター類（１５ａ−２）を収納し、第１アーム（１４ａ−１）内のベルト（１４）などを介して、各移動に追従して調整制御する。
又、反射鏡（１３ａ）が風力に耐える為には高度方向調整モーター類（１５ａ−２）を外側上部に取付てアームで補強材を兼ねる事が出来る。
【手続補正８】
【補正対象書類名】明細書
【補正対象項目名】００１９
【補正方法】変更
【補正の内容】
【００１９】
調整モーター箱（１５）内の東西方向調整モーター（１５ａ−１）は高度方向調整モーター（１５ａ−２）の入った先端部共か、個別にタイマー等で東西方向に回転させる。
此により反射鏡（１３ａ）を太陽光入射方向の東西変化に合わせて、朝から夕方まで毎日移動させる。
高度方向調整モーター（１５ａ−２）はベルト（１４）等を介して連動用支柱（１４ａ−２）を稼動して太陽光入射角の高度に合わせて高度方向調整モーター（１５ａ−２）を回転制御する。
【手続補正９】
【補正対象書類名】明細書
【補正対象項目名】００２０
【補正方法】変更
【補正の内容】
【００２０】
尚、太陽の四季による南北方向の緯度変動は（北、南極等に近く緯度の高い所は例外）微々たるものなので、屋上設置の太陽光発電モジュール等で手軽に調節出来る場合は季節に合わせて年に何回か手動で調整しても良い。
【手続補正１０】
【補正対象書類名】明細書
【補正対象項目名】００２１
【補正方法】変更
【補正の内容】
【００２１】
東西方向調整モーター（１５ａ−１）及び高度方向調整モーター（１５ａ−２）の変動数値は請求項４の入射角感知センサー装置（１６）から個々の凸レンズ（２）の反射鏡装置（１３）へデータを得て、各レンズ（２）の固定設置角度と太陽光の入射角度に合わせて積算し、個々の反射鏡（１３ａ）角度を調整設定する。
【手続補正１１】
【補正対象書類名】明細書
【補正対象項目名】００２２
【補正方法】変更
【補正の内容】
【００２２】
入射角決定感知センサー装置（１６）は反射鏡装置（１３）を付けた集光式淡水化装置（１）や太陽光発電モジュール等用に太陽光の入射角を感知し太陽の位置情報を積算して、太陽位置（上下左右）を決定する為の装置で、その仕組みや制御方法などをデータ化する事にある。
【手続補正１２】
【補正対象書類名】明細書
【補正対象項目名】００２３
【補正方法】変更
【補正の内容】
【００２３】
入射角感知センサー装置（１６）は半球状、又は球状多面体（１６ａ−１）などに受光センサー（１６ａ）を多数、一定の距離や一定の角度で配置して光線の強度を感知し数値化する。
受光感度の高いデータから順次、数個（５個程度かそれ以上）（１６a）の値を最初に平面的な受光センサー位置（１６ｂ−１、−２〜）と感度データ値の大きさを対比して、その距離に反比例した光源位置を決定し、太陽の刻々と変動する平面的な左右東西位置を決定する。
【手続補正１３】
【補正対象書類名】明細書
【補正対象項目名】００２４
【補正方法】変更
【補正の内容】
【００２４】
図１８の左側平面例図に於いて、球状多面体（１６ａ−１）に設置された受光センサー（１６ａ）間の太陽位置を星マーク位置と仮定する。星マークを中心に点線円内に５個の受光センサー（１６ｂ−１〜１６ｂ−５）がある。それぞれの受光センサー（１６ｂ）の感度数値に反比例した距離から太陽位置をデータとして決定する。
トップからの比例位置（１６e−１）と其の下の比例位置（１６e−２）を右側面図に対比して比例位置（１６e−１’）と比例位置（１６e−２’）を得て、角度αを確認する。
１６e−１：１６e−２＝１６ｅ−１’：１６ｅ−２’
sin α＝１６ｅ−２’／c
同時に中央線（又は末端）からの距離も決定する。又、始めに高度から積算してもよい。
【手続補正１４】
【補正対象書類名】明細書
【補正対象項目名】００２５
【補正方法】変更
【補正の内容】
【００２５】
図１９例図の右側面図に上記図１８の右側面図の角度αを入力する。
と、次式が成立する
１６f−１：１６f−２＝１６f−１’：１６f−２’
sin α＝１６f−２’／c
c＝１６f−１＋１６f−２
本式により、角度αの南北高度が確認出来る。同時に図１８の中央線（又は左右末端）からの垂直線と（１６ｅ−１’）、（１６ｅ−２’）交点からの水平線の交差する左側断面図上に仮想星マーク位置が決定され、四季変動の緯度、朝昼夕方の変化による高度を決定する。
同様に１６g−１及び１６g−２も三角関数で計算する。
【手続補正１５】
【補正対象書類名】明細書
【補正対象項目名】００２６
【補正方法】変更
【補正の内容】
【００２６】
決定された星マーク位置データを集光式淡水化装置（１）や太陽光発電モジュール等の制御回路に伝送し、刻々と変化するデータで個々の機器に最適な積算を行い、制御する。
【手続補正１６】
【補正対象書類名】明細書
【補正対象項目名】００２７
【補正方法】変更
【補正の内容】
【００２７】
過熱水蒸気発生装置（２６）で普通の水蒸気を生成する場合には反射鏡装置（２２）、集光ユニット部（２１ａ）の凸レンズ（２１ｅ）等を経由した光束は蒸気出口（２６ａ）周辺に分散してレンズ（２１ｅ）からの入射軸方向を分散調整し、間接的に海水等を加熱し沸騰させる。
【手続補正１７】
【補正対象書類名】明細書
【補正対象項目名】００２８
【補正方法】変更
【補正の内容】
【００２８】
過熱水蒸気を生成する場合には太陽光の集中する過熱水蒸気の出口（１７ａ）は狭窄し、蒸気通路構造は迂回させて充分に高温に接触する様にして、出口上部（１７ａ）に於いて、水蒸気を直接に光束で再加熱し１００度以上の超高温に達する過熱水蒸気を生成する。
【手続補正１８】
【補正対象書類名】明細書
【補正対象項目名】００２９
【補正方法】変更
【補正の内容】
【００２９】
過熱水蒸気は１００度以上の超高温の為、ガラス等の高温に耐えられる容器の過熱水蒸気回収笠（１７ｂ）等でも回収を行う。
【手続補正１９】
【補正対象書類名】明細書
【補正対象項目名】００３０
【補正方法】変更
【補正の内容】
【００３０】
淡水化装置（１）の基礎ベース収納部（１ｂ）内に設置された楕円鏡、放物面鏡（１８）等は集光ユニット部（１ａ）から漏れてきた光線や反射光を海水等の補給水受皿（１d-1）の下部等からも集光し加熱する為の装置である。
【手続補正２０】
【補正対象書類名】明細書
【補正対象項目名】００３１
【補正方法】変更
【補正の内容】
【００３１】
淡水化装置（１）を陸上等に固定した場合や動力起動（発電）装置（１２）等では波動に影響されない程度の大きさに成形して、集熱仕切板（１９）を受皿（１d-1）の下や横等に設ける。集熱仕切板（１９）の横等からも放物面鏡（１８）等で（乱）反射されたのを集光、集熱する。
【手続補正２１】
【補正対象書類名】明細書
【補正対象項目名】００３２
【補正方法】変更
【補正の内容】
【００３２】
既存の淡水化プラントは逆浸透膜方式が主流で、一部に太陽光（熱）利用方式が有る。
主流の逆浸透膜式は初期設備投資が膨大に掛かり、又メンテナンスに手間が掛かりすぎる。
太陽光（熱）利用方式は効率の良い物が無く、ランニングコストが掛かり過ぎ、太陽光（熱）利用方式は広大な面積を必要として効率の良い物が無く、淡水を大量に製造するのにはあまり向いていないのが現状。
【特許文献１】特許２００７−０９０１５９（凸レンズ）
【特許文献２】特許２００６−１５０１４７、−１５０１４８（太陽光）
【特許文献３】特許２００５−８７８２１（太陽熱、逆浸透膜）
【特許文献４】特許２００４−１６０３０１（凸レンズ）
【特許文献５】特許２００３−３４０４３９（太陽熱受熱板）
【特許文献６】特許２０００−１５４７７４（波力変換）
【特許文献７】特許平９−１２２６４４（振子式波力ポンプ、淡水化装置）
【特許文献８】特許平８−１３４９６３（太陽光で海面を加熱）
【特許文献９】特許平６−２２６２４７（吸熱屋根、噴霧器）
【特許文献１０】特許ＷＯ０１／０７２６３８（太陽熱交換器）
【特許文献１１】特許ＷＯ９７／４８６４６（太陽熱集熱器）
【特許文献１２】特許２００６−６０１８０（自動追尾ソーラー発電）
【特許文献１３】特許２００５−２７６７９３（光方向検知センサー付太陽光反射）
【特許文献１４】特許２００４−３０９０９８（光位置検知センサー付天火乾燥）
【特許文献１５】特許２００３−２４０３５６（太陽追尾システム）
【特許文献１６】特許２００３−３１８３５（光位置検知センサー付き太陽光発電）
【特許文献１７】特許２００２−２７７０６３（太陽追尾装置）
【特許文献１８】特許２０００−１４６３１０（集光システム用のヘリオスタット）
【特許文献１９】特許平１１−１１９１０５（太陽光集光システム）
【特許文献２０】特許平６−３２３８５０（太陽光方向センサー）
【特許文献２１】特許平６−３２３８４８（太陽光方向センサー）
【手続補正２２】
【補正対象書類名】明細書
【補正対象項目名】００３４
【補正方法】変更
【補正の内容】
【００３４】
第二の課題として、同上淡水化基本ユニットを複数連結して海上等に設置して、波動による上下運動を回転運動に変換して動力を得る事で、自然エネルギーにより動力源、発電装置等を得る。又基本ユニットを複数連結した物を離島間等に橋渡した場合は、不便な離島の飲料水や電力などの確保と共に、新交通手段としての課題を解決する事が出来る。
【手続補正２３】
【補正対象書類名】明細書
【補正対象項目名】００３５
【補正方法】変更
【補正の内容】
【００３５】
集光式淡水化装置に於いて、効率的、且つ最適に集光、加熱が出来るように反射鏡装置を設置する事により、超高温の１００℃以上の過熱水蒸気が生成出来る迄にする事にある。
【手続補正２４】
【補正対象書類名】明細書
【補正対象項目名】００３６
【補正方法】変更
【補正の内容】
【００３６】
過熱水蒸気は利用範囲が広いので、マイクロタービンや吸収式冷凍機への熱利用、燃料電池の水素やメタノールの生産、フロンガス，ＰＣＢ等有害物質の無毒化などの原資料を自然エネルギーのみで製造する事が可能となる。
【手続補正２５】
【補正対象書類名】明細書
【補正対象項目名】００３７
【補正方法】変更
【補正の内容】
【００３７】
次に解決しようとする課題は集光式淡水化装置で反射鏡装置を制御したり、太陽光発電モジュール等で最大の光量を得る為には精度が良く応用範囲の広い太陽光等の入射角決定感知センサー装置が必要である。
【手続補正２６】
【補正対象書類名】明細書
【補正対象項目名】００３８
【補正方法】変更
【補正の内容】
【００３８】
最適な過熱水蒸気を発生させる為には、受皿上部の水蒸気の出てくる部分の構造をどの様な特殊加工したら良いかが課題です。
【手続補正２７】
【補正対象書類名】明細書
【補正対象項目名】００３９
【補正方法】変更
【補正の内容】
【００３９】
集光式淡水化装置に於いて、上部の集光ユニット部からベース収納部へ漏れてきた光線、乱反射光等を放物面鏡や集熱仕切板等の付属物で如何に無駄なく利用するかが課題です。
【手続補正２８】
【補正対象書類名】明細書
【補正対象項目名】００４３
【補正方法】変更
【補正の内容】
【００４３】
波動式動力起動装置等は集光式淡水化装置の隣接基本ユニット同士を可動式接続器具で連続して接続し、海上等に浮揚させて波浪の上下運動を回転運動に変換する装置である。
【手続補正２９】
【補正対象書類名】明細書
【補正対象項目名】００４６
【補正方法】変更
【補正の内容】
【００４６】
集光式淡水化装置等に於いて、太陽光エネルギーを効率的に集光し、高温にする為に各凸レンズの外周に反射鏡装置を設置する。
【手続補正３０】
【補正対象書類名】明細書
【補正対象項目名】００４７
【補正方法】変更
【補正の内容】
【００４７】
各レンズに対応した反射鏡はレンズの焦点軸上に鏡中心及び屈曲中心部を置く。各レンズに反射光が入光する時に焦点軸線上と平行に為る様に太陽の移動による入射角変動を反射鏡装置により、レンズに向けて自動調整する。
【手続補正３１】
【補正対象書類名】明細書
【補正対象項目名】００４８
【補正方法】変更
【補正の内容】
【００４８】
高温の過熱水蒸気を生成する為に、水蒸気出口を除いて上部外周等を覆い、水面に直接照射するのではなく間接的に補給水受皿の外周から海水等を加熱し沸騰させる。
水蒸気の出口は狭窄や屈曲させて、又透明にして其処に反射鏡を経た凸レンズ等からの光を集中し、出口からの水蒸気を再加熱し１００度以上の過熱水蒸気を生成する
【手続補正３２】
【補正対象書類名】明細書
【補正対象項目名】００４９
【補正方法】変更
【補正の内容】
【００４９】
集光式淡水化装置内に漏れてきた光線や反射光を、基礎ベース収納部内に楕円鏡、放物面鏡、集熱仕切板等を設置して受皿の横、下部などからも加熱する。
【手続補正３３】
【補正対象書類名】明細書
【補正対象項目名】００５０
【補正方法】変更
【補正の内容】
【００５０】
反射鏡装置や太陽光発電モジュール等に於いて、刻々変化する太陽光入射角を対象物に最適な角度に調整する為には、受光センサー中から受光感度数値の高い順に数個積算して太陽の高度、及び立体的な位置等を計算して刻々変化する太陽の入射方向位置を決定する入射角決定感知センサー装置が必須である。
【手続補正３４】
【補正対象書類名】明細書
【補正対象項目名】００５１
【補正方法】変更
【補正の内容】
【００５１】
球状多面体等に設置された複数の受光センサーから受光感度数値の高い順番に数個積算して太陽の高度、及び立体的な東西位置等を積算して刻々変化する太陽の入射角度、方向位置を決定する。
その位置情報で集光式淡水化装置に於いては、反射鏡装置の角度を調整して各凸レンズへ最適に入光する様にする。
【手続補正３５】
【補正対象書類名】明細書
【補正対象項目名】００５２
【補正方法】変更
【補正の内容】
【００５２】
地球規模の異常気象により、洪水の一方で干ばつによる砂漠化が進行している。
砂漠化の拡大を防止する為の植林を始め、濁った川の水や汚染された井戸水を利用せざるを得ない地区も地球上には存在します。生命維持に不可欠の飲料水の確保は至上命題です。
本集光式淡水化装置は辺境の場所でも、自然エネルギーのみで稼働するから、２１世紀に大爆発が予想される「水問題」を省エネ、無動力で解決する事が出来き、ユニット化した小型で効率的なシステムである。
【手続補正３６】
【補正対象書類名】明細書
【補正対象項目名】００５３
【補正方法】変更
【補正の内容】
【００５３】
海上や湖上の自然エネルギーを利用する波動式動力起動装置は風によって発生した波高の上下運動を回転運動に変換して動力を得て発電等を起動出来る省エネ型、化石燃料を必要としない装置である。
【手続補正３７】
【補正対象書類名】明細書
【補正対象項目名】００５５
【補正方法】変更
【補正の内容】
【００５５】
過熱水蒸気発生装置は集光式淡水化装置に反射鏡装置を設置する事により、出口からの水蒸気を再加熱して１００度以上の高温水蒸気を生成する。
【手続補正３８】
【補正対象書類名】明細書
【補正対象項目名】００５６
【補正方法】変更
【補正の内容】
【００５６】
過熱水蒸気はマイクロタービン発電機や吸収式冷凍機への高熱利用、燃料電池の水素やメタノールの生産、フロンガス，ＰＣＢ等有害物質の無毒化等の原資料を生成する。
本集光式淡水化装置は小面積の規模で自然エネルギーのみで過熱水蒸気を製造する事が出来る。
【手続補正３９】
【補正対象書類名】明細書
【補正対象項目名】００５７
【補正方法】変更
【補正の内容】
【００５７】
太陽光の入射角決定感知センサー装置は集光式淡水化装置で反射鏡装置を制御したり、太陽光発電モジュール等で最大の光量を得る為には精度が良く応用範囲の広い太陽位置（上下左右）を決定し、制御する事が出来る装置である。
【手続補正４０】
【補正対象書類名】明細書
【補正対象項目名】００５９
【補正方法】変更
【補正の内容】
【００５９】
集光式淡水化装置に反射鏡装置を取り付け、出口水蒸気に集中的に太陽光等を照射して高温の過熱水蒸気を発生させる。
【手続補正４１】
【補正対象書類名】明細書
【補正対象項目名】００６０
【補正方法】変更
【補正の内容】
【００６０】
反射鏡装置のサイドの低い位置に於いては、反射鏡は回転駆動した時に集光ユニット、レンズ等に接触しない距離に離して設置する。
両サイドより、高い位置から中央部に架けては順次取付位置を高くして装置による陰を最小にし、光源が低い朝夕の位置でも最大の光量を満遍なく反射出来る様に設置する。
【手続補正４２】
【補正対象書類名】明細書
【補正対象項目名】００６１
【補正方法】変更
【補正の内容】
【００６１】
入射角感知センサー装置は球状多面体等に受光センサーを多数、ある距離や一定の角度で配置して、光線の強度を感知し数値化、積算する機能を有する。
【手続補正４３】
【補正対象書類名】明細書
【補正対象項目名】００６３
【補正方法】変更
【補正の内容】
【００６３】
図２の左図は集光式淡水化装置の図１基本ユニット部の正面断面図、
右図は補給水受皿の集光側断面図。
平凸レンズ等で集光し補給水受皿上に集束する。
波動によって補給水受皿の水面が不安定に成るので補給水管等から安定化を図る。
【手続補正４４】
【補正対象書類名】明細書
【補正対象項目名】００６４
【補正方法】変更
【補正の内容】
【００６４】
図３上図の左は下図の正面断面図、中央は補給水受皿の側断面、右は下図の正面断面図。
図３の下図は基本ユニット同士の連結器具で接続した平面図。
内、左は受皿の固形物排除器具、中央は外周(平)凸レンズ図、右は補給水受皿図。
上下左図は受皿の固形物排除器具で塩類等を掻き出して輸送ベルトへ排出する
平面と側面図。
中央上下図は集光ユニットの外周平凸レンズ平面と受皿上への集光側断面図
右側上下図は補給水受皿の平面と正面断面図
【手続補正４５】
【補正対象書類名】明細書
【補正対象項目名】００６５
【補正方法】変更
【補正の内容】
【００６５】
図４の上図は半円形ブリッジの波動式動力起動装置が波長に乗った連結側面図。
図４の下図は上図の連結平面図。
上図中央の基本ユニットの右側（及び左端基本ユニットの左側）は波高の最高部へ 上昇する状態で、右側ユニットのブリッジ上の起動回転歯車が反時計方向に回転し、 左側ユニット間の下降状態でも反時計回転する。
【手続補正４６】
【補正対象書類名】明細書
【補正対象項目名】００６６
【補正方法】変更
【補正の内容】
【００６６】
図５の上図は直線状ブリッジの波動式動力起動装置が波長に乗った連結図。
図５の下図は風波無しの状態に設置した波動式動力起動装置連結側面図。
中央上図の右側は波高の最低部から上昇へ移行する状態で、直線状のブリッジ上の
起動回転歯車が時計方向に回転する。左側歯車も同様に時計方向へ回転する。
【手続補正４７】
【補正対象書類名】明細書
【補正対象項目名】００６８
【補正方法】変更
【補正の内容】
【００６８】
図７は図６の水中での浮力を合算する連結棒や連結棒の吊り紐等を拡大した図。
各動力起動装置の浮力を合算して連絡橋の下方から最終道路用連結棒や道路連結棒 の支持棒等で支えて安定性を確保する。又、サイドガードレール部では風波が連絡 橋へ入り込まない様に破風板を付けたり、路面は排水が良い様に溝を付けるなどの 施工をする。
【手続補正４８】
【補正対象書類名】明細書
【補正対象項目名】００６９
【補正方法】変更
【補正の内容】
【００６９】
図８は、集光ユニット部（平凸レンズ等）、及び反射鏡装置の中央正面断面図例。
左３０度からの入射光を反射鏡で凸レンズへ集めて、補給水受皿の水蒸気出口へ
光束を集中した例図。
【手続補正４９】
【補正対象書類名】明細書
【補正対象項目名】００７０
【補正方法】変更
【補正の内容】
【００７０】
図９は図８の右下部の拡大例図
レンズ方向の鏡面中央に調整、制御用機械箱を設置した図。
左３０度からの入射光は鏡面高さのほぼ全反射光を平凸レンズ全面へ収束した例
【手続補正５０】
【補正対象書類名】明細書
【補正対象項目名】００７１
【補正方法】変更
【補正の内容】
【００７１】
図１０は図９の調整、制御用機械箱の拡大図。
東西方向調整モーター、高度方向調整モーターセット等の側面図
【手続補正５１】
【補正対象書類名】明細書
【補正対象項目名】００７２
【補正方法】変更
【補正の内容】
【００７２】
図１１は図１０の調整、制御用機械箱の拡大平面図。
東西方向調整モーターは円周を軸にして朝夕回転する。
【手続補正５２】
【補正対象書類名】明細書
【補正対象項目名】００７３
【補正方法】変更
【補正の内容】
【００７３】
図１２は図１１の調整、制御用機械箱を鏡面の反対側に設置した正面例図。
鏡の屈曲部は鏡の外側に設定した例。
【手続補正５３】
【補正対象書類名】明細書
【補正対象項目名】００７４
【補正方法】変更
【補正の内容】
【００７４】
図１３は集光ユニット部とアーム連動式装置の中央正面断面図。
左３０度からの入射光を反射鏡で凸レンズへ集めて、補給水受皿の水蒸気出口へ
光束を集中した例図。
【手続補正５４】
【補正対象書類名】明細書
【補正対象項目名】００７５
【補正方法】変更
【補正の内容】
【００７５】
図１４は図１３の右下部の拡大図。
アームを鏡面側に、鏡固定用支柱(自在部材付)を反対側に設置した例図。
【手続補正５５】
【補正対象書類名】明細書
【補正対象項目名】００７６
【補正方法】変更
【補正の内容】
【００７６】
図１５は図１４の第１、第２アーム連動式装置の拡大図
【手続補正５６】
【補正対象書類名】明細書
【補正対象項目名】００７７
【補正方法】変更
【補正の内容】
【００７７】
図１６は鏡背面からピンを出し、ピン先をベルト類で制御する調整制御用箱拡大例図
【手続補正５７】
【補正対象書類名】明細書
【補正対象項目名】００７８
【補正方法】変更
【補正の内容】
【００７８】
図１７は図１６の平面図。
【手続補正５８】
【補正対象書類名】明細書
【補正対象項目名】００７９
【補正方法】変更
【補正の内容】
【００７９】
図１８の左は球状多面体に受光センサーを一定の距離や角度で多数配置した平面図。
赤道付近では全周辺（図中上方）にも受光センサーを設置する。
右図は光源投影位置の東西（左右）側断面例図
【手続補正５９】
【補正対象書類名】明細書
【補正対象項目名】００８０
【補正方法】変更
【補正の内容】
【００８０】
図１９左は球状多面体に各受光センサーを３０度角度で多数配置した例の中央断面図。
右図は光源投影位置の高度（上下）側断面図
【手続補正６０】
【補正対象書類名】明細書
【補正対象項目名】００８１
【補正方法】変更
【補正の内容】
【００８１】
図２０は集光ユニット部、基礎ベース収納部の中央正面断面例図。
過熱水蒸気出口、過熱水蒸気回収笠、集熱仕切板、放物面鏡等含む
【手続補正６１】
【補正対象書類名】明細書
【補正対象項目名】００８２
【補正方法】変更
【補正の内容】
【００８２】
図２１は集光ユニット部、基礎ベース収納部等の中央側断面図。
左半分は各角度からの入射光、右は真上から入射した反射ルート図含む
【手続補正６２】
【補正対象書類名】明細書
【補正対象項目名】００８３
【補正方法】変更
【補正の内容】
【００８３】
図２２は補給水受皿の平面例図。
過熱水蒸気出口、塩類排出口、回収笠等含む。
【手続補正６３】
【補正対象書類名】明細書
【補正対象項目名】００８４
【補正方法】変更
【補正の内容】
【００８４】
図２３は補給水受皿の正面断面図。
塩類等の排出（左端は排出口）機構、集熱仕切板等含む
【手続補正６４】
【補正対象書類名】明細書
【補正対象項目名】００８５
【補正方法】変更
【補正の内容】
【００８５】
図２４は補給水受皿の側面図。
集熱仕切板等含む
【手続補正６５】
【補正対象書類名】明細書
【補正対象項目名】００８６
【補正方法】変更
【補正の内容】
【００８６】
図２５は過熱水蒸気出口の拡大平面例図。
【手続補正６６】
【補正対象書類名】明細書
【補正対象項目名】００８７
【補正方法】変更
【補正の内容】
【００８７】
図２６は図２５の過熱水蒸気出口の正面断面図。
水滴噴出防止板（出口壁面の透明仕様も）含む
【手続補正６７】
【補正対象書類名】明細書
【補正対象項目名】００８８
【補正方法】変更
【補正の内容】
【００８８】
図２７は過熱水蒸気出口の側面拡大図。
蒸気の迂回路、沸騰水滴の隔壁板等含む。
【手続補正６８】
【補正対象書類名】明細書
【補正対象項目名】００８９
【補正方法】変更
【補正の内容】
【００８９】
地球上では温暖化に伴う異常気象により、集中豪雨による洪水の一方で、干ばつによる砂漠化が急速に進行している。
緑豊かに輝く地球と生命維持に不可欠の飲料水の確保は２１世紀の重大問題です。
これを陸上、海上あらゆる場所に設置、駆動出来るのが集光式淡水化装置です。
【手続補正６９】
【補正対象書類名】明細書
【補正対象項目名】００９１
【補正方法】変更
【補正の内容】
【００９１】
集光式淡水化装置で淡水の大量生産を行い砂漠化を防止し、森林や草原、耕作地を再生する事は「産業上の利用可能性」だけでなく大気中の炭素ガスを減少させ、地球温暖化の防止に役立ち、人類の直面している地球規模の危機に役立つ装置である。
【手続補正７０】
【補正対象書類名】明細書
【補正対象項目名】００９４
【補正方法】変更
【補正の内容】
【００９４】
過熱水蒸気はマイクロタービン発電機や吸収式冷凍機への高熱利用、燃料電池の水素やメタノールの生産、フロンガス，ＰＣＢ等有害物質の無毒化等の原資料を生成する。
本集光式淡水化装置は小規模のユニット単位で効率的に、又自然エネルギーのみで過熱水蒸気を製造する事が出来る。
【手続補正７１】
【補正対象書類名】明細書
【補正対象項目名】００９５
【補正方法】変更
【補正の内容】
【００９５】
入射角度決定感知センサー装置は集光式淡水化装置で反射鏡装置を制御したり、太陽光発電モジュールなどで最適で最大の光量を得たり制御する為に、高精度で応用範囲の広い太陽位置を決定するセンサー装置である。
【手続補正７２】
【補正対象書類名】明細書
【補正対象項目名】００９６
【補正方法】変更
【補正の内容】
【００９６】
【図１】集光式淡水化装置の基本ユニット部の立面図。
【図２】集光式淡水化装置の正面断面図、右図は補給水受皿の集光側断面図。
【図３】上図の左は下図の正面断面図、中央は補給水受皿の側断面、 右は下図の正面断面図。下図は上の平面図。
【図４】上図は半円形ブリッジの波動式動力起動装置が波長に乗った連結側面図。 下図は上図の平面図。
【図５】上図は直線状ブリッジの波動式動力起動装置が波長に乗った連結図。 下図は平地に設置した状態の波動式動力起動装置連結側面図。
【図６】波動式動力起動装置を左右に並べて中央に車道をセットした立面図。
【図７】図６の連結棒や連結棒の吊り紐等を拡大した図。
【図８】左上３０度からの入射光を反射鏡で凸レンズ、過熱水蒸気出口へ集めた 反射鏡装置の中央立断面図例。
【図９】図８の右下部の拡大図。鏡面反射光を平凸レンズ等へ効率よく反射する。
【図１０】図９の調整制御用機械箱の拡大図。 東西、高度方向調整モーターのベルトで鏡を制御する。
【図１１】図１０の平面図。東西は円周を軸にして朝夕回転する。
【図１２】レンズ、鏡の反対側に調整、制御用機械箱を設置した正面図。
【図１３】集光ユニット部とアーム連動式装置の中央正面の補給水受皿の水蒸気出口へ 光束を集中した断面図。
【図１４】図１３の右下部の拡大図。
【図１５】図１４の第１、第２アーム連動式装置、制御用機械箱の拡大図。
【図１６】鏡背面からピンを出してピン先をベルト類で制御する調整制御用箱拡大図。
【図１７】図１６の平面図
【図１８】左は球状多面体に受光センサーを一定の距離や角度で多数配置した平面図。 右図は光源位置の投影平面図。
【図１９】左は球状多面体に受光センサーを３０度の角度で配置した中央断面図例。 右図は光源位置の投影、正立面図。
【図２０】過熱水蒸気出口部、過熱水蒸気回収笠、集熱仕切板、放物面鏡等の 集光ユニット部、基礎ベース収納部の中央正面断面図。
【図２１】各方向からの入射光、反射ルートを含む中央側断面図。
【図２２】中央に過熱水蒸気出口を配した補給水受皿の平面例図。
【図２３】塩類排出（左端は排出口）機構図を含む補給水受皿の正面図。
【図２４】補給水受皿の側面図。
【図２５】過熱水蒸気出口の拡大平面図。
【図２６】過熱水蒸気出口の正面断面図。
【図２７】蒸気の迂回路含む過熱水蒸気出口の側断面図。
【手続補正７３】
【補正対象書類名】明細書
【補正対象項目名】００９７
【補正方法】変更
【補正の内容】
【００９７】
１ 基本ユニット(集光式淡水化装置)１a 集光ユニット部
１a-1 球面内壁面    １a-2 球面外壁面
１b 基礎ベース部   １b-1 基礎ベース部内の上部受皿等の収納部
１b-2 基礎ベース部の下部ベース土台（浮力）部
１c 基本ユニット同士の連結器具
１d-1 補給水の受皿   １d-2 受皿の固形物排除器具
１d-3 受皿用の補給水管   １d-4 塩類等の輸送機器（コンベア、ベルト等）
１d-5 受皿安定用の支持器具
２ 凸レンズ    ２a 平凸レンズ
３ 淡水の集水口   ３a 集水管
４ 冷却水管
５ 波動式動力起動装置又は波動式発電装置（浮揚した基本ユニットの連結状態）
５a 基本ユニットの可動式連結器具
５a-1 ブリッジ側の右(又は左)側ユニット
５a-2 起動回転歯車の支点側の左(又は右)側ユニット
６ ブリッジ基板   ６a-1 半円形のブリッジ
６a-2 直線状のブリッジ   ６b ブリッジ上の歯車
７ 起動回転歯車の支柱支点  ７a 起動回転歯車の歯車部
７b-n スピード、回転力を増幅する回転部（多段階）
８ ベルト、歯車等の動力伝動用具
９ 浮力を合算する連結棒  ９a-1 第一段目連結棒
９a-2 第二段目連結棒   ９a-n 第Ｎ段目の連結棒
９b 最終道路用連結棒   ９b-1 道路連結棒の支持棒
１０ 連結棒用の吊り紐   10a-1 第一段目吊り紐
10a-2 第二段目吊り紐   10a-n 第Ｎ段目の吊り紐
11 連絡橋    11a-1 連絡橋上の車道
11a-2 連絡橋上の歩道
１２ 動力起動（発電）装置
１３ 反射鏡装置    １３a 反射鏡
１３b-1鏡前面支柱    １３b-2鏡前面のアーム連動バー
１３c 鏡固定用支柱(自在部材付)
１４ 方向調整用アーム又はベルトチェーン類
１４ａアーム連動式装置
１４ａ-1第１アーム   １４ａ-2第２アーム
１５ 調整、制御用機械箱（ステップピングモーター等）
１５a-1東西方向調整モーターセット
１５a-2高度方向調整モーターセット
１６ 入射角決定感知センサー装置
１６a 受光センサー
１６a-1センサー設置用半球状又は球状多面体
１６b-1,2平面的位置関連受光センサー １６c-1,2断面的位置関連受光センサー
１６d-1,2受光センサー間の平面的位置の比例数値
１６e-1,2図１８平面の上下比例値 １６e-1',2'左値の図１８側断面の比例値
１６f-1,2図１９高度位置の上下比例値 １６f-1',2'左値の図１９側断面の比例値
１６g-1,2図１９高度位置側断面の円接線上下比例値
１７ 過熱水蒸気発生装置  １７a 過熱水蒸気出口
１７b 過熱水蒸気回収笠
１８ 基礎収納部内の楕円鏡、放物面鏡等
１９ 集熱仕切板
【手続補正７４】
【補正対象書類名】図面
【補正対象項目名】図１
【補正方法】変更
【補正の内容】
【図１】
2009166024.tif 000030
【手続補正７５】
【補正対象書類名】図面
【補正対象項目名】図２
【補正方法】変更
【補正の内容】
【図２】
2009166024.tif 000031
【手続補正７６】
【補正対象書類名】図面
【補正対象項目名】図３
【補正方法】変更
【補正の内容】
【図３】
2009166024.tif 000032
【手続補正７７】
【補正対象書類名】図面
【補正対象項目名】図４
【補正方法】変更
【補正の内容】
【図４】
2009166024.tif 000033
【手続補正７８】
【補正対象書類名】図面
【補正対象項目名】図５
【補正方法】変更
【補正の内容】
【図５】
2009166024.tif 000034
【手続補正７９】
【補正対象書類名】図面
【補正対象項目名】図６
【補正方法】変更
【補正の内容】
【図６】
2009166024.tif 000035
【手続補正８０】
【補正対象書類名】図面
【補正対象項目名】図７
【補正方法】変更
【補正の内容】
【図７】
2009166024.tif 000036
【手続補正８１】
【補正対象書類名】図面
【補正対象項目名】図８
【補正方法】変更
【補正の内容】
【図８】
2009166024.tif 000037
【手続補正８２】
【補正対象書類名】図面
【補正対象項目名】図９
【補正方法】変更
【補正の内容】
【図９】
2009166024.tif 000038
【手続補正８３】
【補正対象書類名】図面
【補正対象項目名】図１０
【補正方法】変更
【補正の内容】
【図１０】
2009166024.tif 000039
【手続補正８４】
【補正対象書類名】図面
【補正対象項目名】図１１
【補正方法】変更
【補正の内容】
【図１１】
2009166024.tif 000040
【手続補正８５】
【補正対象書類名】図面
【補正対象項目名】図１２
【補正方法】変更
【補正の内容】
【図１２】
2009166024.tif 000041
【手続補正８６】
【補正対象書類名】図面
【補正対象項目名】図１３
【補正方法】変更
【補正の内容】
【図１３】
2009166024.tif 000042
【手続補正８７】
【補正対象書類名】図面
【補正対象項目名】図１４
【補正方法】変更
【補正の内容】
【図１４】
2009166024.tif 000043
【手続補正８８】
【補正対象書類名】図面
【補正対象項目名】図１５
【補正方法】変更
【補正の内容】
【図１５】
2009166024.tif 000044
【手続補正８９】
【補正対象書類名】図面
【補正対象項目名】図１６
【補正方法】変更
【補正の内容】
【図１６】
2009166024.tif 000045
【手続補正９０】
【補正対象書類名】図面
【補正対象項目名】図１７
【補正方法】変更
【補正の内容】
【図１７】
2009166024.tif 000046
【手続補正９１】
【補正対象書類名】図面
【補正対象項目名】図１８
【補正方法】変更
【補正の内容】
【図１８】
2009166024.tif 000047
【手続補正９２】
【補正対象書類名】図面
【補正対象項目名】図１９
【補正方法】変更
【補正の内容】
【図１９】
2009166024.tif 000048
【手続補正９３】
【補正対象書類名】図面
【補正対象項目名】図２０
【補正方法】変更
【補正の内容】
【図２０】
2009166024.tif 000049
【手続補正９４】
【補正対象書類名】図面
【補正対象項目名】図２１
【補正方法】変更
【補正の内容】
【図２１】
2009166024.tif 000050
【手続補正９５】
【補正対象書類名】図面
【補正対象項目名】図２２
【補正方法】変更
【補正の内容】
【図２２】
2009166024.tif 000051
【手続補正９６】
【補正対象書類名】図面
【補正対象項目名】図２３
【補正方法】変更
【補正の内容】
【図２３】
2009166024.tif 000052
【手続補正９７】
【補正対象書類名】図面
【補正対象項目名】図２４
【補正方法】変更
【補正の内容】
【図２４】
2009166024.tif 000053
【手続補正９８】
【補正対象書類名】図面
【補正対象項目名】図２５
【補正方法】変更
【補正の内容】
【図２５】
2009166024.tif 000054
【手続補正９９】
【補正対象書類名】図面
【補正対象項目名】図２６
【補正方法】変更
【補正の内容】
【図２６】
2009166024.tif 000055
【手続補正１００】
【補正対象書類名】図面
【補正対象項目名】図２７
【補正方法】変更
【補正の内容】
【図２７】
2009166024.tif 000056
【手続補正書】
【提出日】平成21年1月5日(2009.1.5)
【手続補正１】
【補正対象書類名】図面
【補正対象項目名】全図
【補正方法】変更
【補正の内容】
【図１】
2009166024.tif 000057
【図２】
2009166024.tif 000058
【図３】
2009166024.tif 000059
【図４】
2009166024.tif 000060
【図５】
2009166024.tif 000061
【図６】
2009166024.tif 000062
【図７】
2009166024.tif 000063
【図８】
2009166024.tif 000064
【図９】
2009166024.tif 000065
【図１０】
2009166024.tif 000066
【図１１】
2009166024.tif 000067
【図１２】
2009166024.tif 000068
【図１３】
2009166024.tif 000069
【図１４】
2009166024.tif 000070
【図１５】
2009166024.tif 000071
【図１６】
2009166024.tif 000072
【図１７】
2009166024.tif 000073
【図１８】
2009166024.tif 000074
【図１９】
2009166024.tif 000075
【図２０】
2009166024.tif 000076
【図２１】
2009166024.tif 000077
【図２２】
2009166024.tif 000078
【図２３】
2009166024.tif 000079
【図２４】
2009166024.tif 000080
【図２５】
2009166024.tif 000081
【図２６】
2009166024.tif 000082
【図２７】
2009166024.tif 000083